(57)【要約】      （修正有）【課題】点灯機能を持たせて、本物の提灯と同様の風合いを醸し出すことができるミニチュア提灯を提供する。【解決手段】火袋２と、火袋の上部に連結された上加輪と、火袋の下部に連結された下加輪７等を有し、本物の提灯と同様の形態をなすミニチュア提灯１であり、下加輪の内部に、ボタン電池１２を電源とし、スイッチ１３の操作によって発光体としてのＬＥＤ１４を点灯するようにした発光装置１１を組み込む。また、周囲の適宜の箇所に磁石等の保持固定手段を備える。火袋が、本体２ａを樹脂で蛇腹状に成形すると共に表面に和紙２ｂを貼着して形成し、更に上部と下部に夫々外周に雄ねじ３を設けた連結筒２Ａを突設しているのが好ましい。【選択図】図５
0003197134.tif 000002
【実用新案登録請求の範囲】
【請求項１】
火袋と、該火袋の上部に連結された上加輪と、前記火袋の下部に連結された下加輪等からなる、本物の提灯と同様の形態をなすミニチュア提灯であって、前記下加輪又は上加輪のいずれかの内部に、ボタン電池を電源とし、スイッチの操作によって発光体としてのＬＥＤを点灯するようになした発光装置を組み込んだことを特徴とするミニチュア提灯。
【請求項２】
ミニチュア提灯が、本体を樹脂で蛇腹状に成形すると共に表面に和紙を貼着して形成し、更に上部と下部に夫々外周に雄ねじを設けた連結筒を突設した火袋と、該火袋の上部に連結された、樹脂をもってキャップ状に成形され、内面に前記火袋における連結筒の雄ねじに螺合する雌ねじを設けると共に、上面中央に、係合孔を設けた連結片部を突設した上加輪と、樹脂をもってキャップ状に成形され、内面に前記火袋における連結筒の雄ねじに螺合する雌ねじを設けると共に、下面中央に、係合孔を設けた連結片部を突設した下加輪と、前記上加輪と下加輪をつなぐ、樹脂をもってコ字状に成形され、上部側と下部側の水平部分の先端部に、前記上加輪と下加輪の夫々の連結片部の係合孔に潜らせて係合させるフック部を設けた弓とからなる提灯である請求項１記載のミニチュア提灯。
【請求項３】
周囲の適宜の箇所に磁石、吸盤又は粘着テープ等の適宜の保持固定手段を備えてなる請求項１又は２記載のミニチュア提灯。
【請求項４】
請求項３記載のミニチュア提灯であって、保持固定手段が磁石である場合において、裏面を粘着面とし、該粘着面に剥離紙を仮貼着してなる金属片を付属させてセットとしてなるミニチュア提灯。
【考案の詳細な説明】
【技術分野】
【０００１】  本考案はミニチュア提灯に関し、更に詳細にはＬＥＤを発光体とする発光装置を組み込んで点灯することができるようになしたことを特徴とするミニチュア提灯に係わる。
【背景技術】
【０００２】  毎年日本には多くの外国人が訪れており、そしてその殆どが帰国する際に何らかのおみやげを購入して持ち帰ることが多い。【０００３】  そして、そのおみやげとしては和風の伝統工芸品の人気が高く、提灯も人気の高いアイテムの一つである。そして、この提灯も、本物では嵩張って携行に不便であることなどから、そのミニチュアも人気がある。
【考案の概要】
【考案が解決しようとする課題】
【０００４】  このように提灯のミニチュアも人気があるが、従来のものにあっては発光装置が組み込まれていないから、飾ってあっても周囲が暗くなると見えにくくなり、飾りとしての役割が半減するという問題点があった。そして、特に提灯は主に夜間において火をともした状態においてこそ風情があるが、従来のミニチュア提灯には点灯機能がないから、本物と同様の風合いを醸し出すことができなかった。また、飾るときには単に立て掛けておくだけであるから、地震等の振動や、自然の或いは空調設備の風等によっても転びやすかった。【０００５】  本考案は上記の点に鑑みなされたものであって、発光装置を組み込むことにより、スイッチの操作によっていつでも点灯させることができ、そして点灯した状態においては恰も本物の提灯が点灯しているかの如き雰囲気を醸し出すことができ、もって飾りとしての価値を一段と高めることができると共に、夜間における装飾を兼ねた補助照明として用いることもでき、しかも発光装置は内部に収まるようにできるだけコンパクトに且つまた電力消費を極力少なくするために、発光体としてＬＥＤを用いると共に電源としてボタン電池を用い、また、火袋を含めて全ての構成部材を樹脂で製作した場合には、丈夫で毀れにくく、子供のおもちゃに使用しても長持ちするものとなり、また、周囲の適宜の箇所に磁石等の適宜の保持固定手段を備えた場合には、室内等にある適宜の部材に安定して保持固定せしめることができ、更にまた、保持固定手段が磁石である場合において、裏面を粘着面とし、該粘着面に剥離紙を仮貼着してなる金属片を付属させてセットとした場合には、該金属片を所望の場所、位置に貼着すると共に磁石の取り付け位置を適宜に決定することにより、飾る場所、位置の選択に制限を受けなくすることができるようになしたミニチュア提灯を提供しようとするものである。
【課題を解決するための手段】
【０００６】  而して、本考案の要旨とするところは、火袋と、該火袋の上部に連結された上加輪と、前記火袋の下部に連結された下加輪等からなる、本物の提灯と同様の形態をなすミニチュア提灯であって、前記下加輪又は上加輪のいずれかの内部に、ボタン電池を電源とし、スイッチの操作によって発光体としてのＬＥＤを点灯するようになした発光装置を組み込んだことを特徴とするミニチュア提灯にある。【０００７】  また、上記構成において、ミニチュア提灯を、本体を樹脂で蛇腹状に成形すると共に表面に和紙を貼着して形成し、更に上部と下部に夫々外周に雄ねじを設けた連結筒を突設した火袋と、該火袋の上部に連結された、樹脂をもってキャップ状に成形され、内面に前記火袋における連結筒の雄ねじに螺合する雌ねじを設けると共に、上面中央に、係合孔を設けた連結片部を突設した上加輪と、樹脂をもってキャップ状に成形され、内面に前記火袋における連結筒の雄ねじに螺合する雌ねじを設けると共に、下面中央に、係合孔を設けた連結片部を突設した下加輪と、前記上加輪と下加輪をつなぐ、樹脂をもってコ字状に成形され、上部側と下部側の水平部分の先端部に、前記上加輪と下加輪の夫々の連結片部の係合孔に潜らせて係合させるフック部を設けた弓とからなる提灯としてもよい。【０００８】  また、上記構成において、周囲の適宜の箇所に磁石、吸盤又は粘着テープ等の適宜の保持固定手段を備えるようにしてもよい。【０００９】  また、上記周囲の適宜の箇所に備える保持固定手段が磁石である場合において、裏面を粘着面とし、該粘着面に剥離紙を仮貼着してなる金属片を付属させてセットとするようになしてもよい。
【考案の効果】
【００１０】  本考案は上記の如き構成であり、発光装置を組み込んだものであるから、スイッチの操作によっていつでも点灯させることができ、そして点灯した状態においては恰も本物の提灯が点灯しているかの如き雰囲気を醸し出すことができ、もって飾りとしての価値を一段と高めることができると共に、夜間における装飾を兼ねた補助照明として用いることもできるものである。しかも発光装置を、発光体としてＬＥＤを用いると共に電源としてボタン電池を用いることにより、内部に収まるようにできるだけコンパクトに且つまた電力消費の極めて少ない発光装置として構成し、必要な範囲の明るさにおいて点灯できる時間の引き延ばしを図ることができるようになしたものである。【００１１】  また、火袋を含めて全ての構成部材を樹脂で製作した場合には、丈夫で毀れにくく、子供のおもちゃに使用しても長持ちするものとなるものである。【００１２】  また、周囲の適宜の箇所に磁石、吸盤又は粘着テープ等の適宜の保持固定手段を備えた場合には、室内等にある適宜の部材に安定して保持固定せしめることができるものである。【００１３】  更にまた、上記周囲の適宜の箇所に備える保持固定手段が磁石である場合において、裏面を粘着面とし、該粘着面に剥離紙を仮貼着してなる金属片を付属させてセットとした場合には、該金属片を所望の場所、位置に貼着すると共に磁石の取り付け位置を適宜に決定することにより、飾る場所、位置の選択に制限を受けなくすることができるようになるものである。
【図面の簡単な説明】
【００１４】
【図１】本考案の実施形態に係るミニチュア提灯の上部側から看た斜視図である。
【図２】同保持固定手段としての磁石を取り付けた部分の拡大斜視図である。
【図３】同下部側から看た部分拡大斜視図である。
【図４】同下加輪を取り外した状態における下部側部分の斜視図である。
【図５】同下部側部分の拡大縦断面図である。
【図６】同セットとして付属させる金属片の粘着面に仮貼着した剥離紙を一部剥離した状態の斜視図である。
【考案を実施するための形態】
【００１５】    以下、本考案を実施するための形態について、図面を参照して説明する。
【００１６】  図中、１は火袋と、該火袋の上部に連結された上加輪と、前記火袋の下部に連結された下加輪等からなる、本物の提灯と同様の形態をなすミニチュア提灯であって、本実施形態にあっては弓張提灯の形態となしている。
【００１７】  そしてまた、本実施形態においては火袋を含めた全体の構成部材を樹脂で製作している。即ち、該ミニチュア提灯１を、本体２ａを樹脂で蛇腹状に成形すると共に表面に和紙２ｂを貼着して形成し、更に上部と下部に夫々外周に雄ねじ３を設けた連結筒２Ａ、２Ａを突設した火袋２と、該火袋２の上部に連結された、樹脂をもってキャップ状に成形され、内面に前記火袋２における連結筒２Ａの雄ねじ３に螺合する雌ねじ（図示せず。）を設けると共に、上面中央に、係合孔４ａを設けた連結片部４を突設した上加輪５と、樹脂をもってキャップ状に成形され、内面に前記火袋２における連結筒２Ａの雄ねじ３に螺合する雌ねじ７ａを設けると共に、下面中央に、係合孔６ａを設けた連結片部６を突設した下加輪７と、前記上加輪５と下加輪７をつなぐ、樹脂をもってコ字状に成形され、上部側と下部側の水平部分の先端部に、前記上加輪５と下加輪７の夫々の連結片部４、６の係合孔４ａ、６ａに潜らせて係合させるフック部８、９を設けた弓１０とをもって構成している。
【００１８】  而して、本実施形態は、前記下加輪７の内部に、ボタン電池１２を電源とし、スイッチ１３の操作によって発光体としてのＬＥＤ１４を点灯するようになした発光装置１１を組み込んだことを特徴とするものである。また、図において１５は下加輪７の底板７Ａに取り外し自在に固定した回路基板、１６は該回路基板１５に設けた電池収容ボックスであり、前記ボタン電池１２とＬＥＤ１４とを結ぶリード線は図示を省略している。また、前記スイッチ１３は、下加輪７の底板７Ａから突出させた操作片１３ａをもって電流の導通操作を行うものである。尚、本実施形態においては、発光装置１１を下加輪７の内部に組み込んでいるが、上加輪５に組み込むようにしてもよいものである。
【００１９】  本実施形態は上記の如き構成であり、発光装置１１を組み込んだものであるから、スイッチ１３の操作によっていつでも点灯させることができ、そして点灯した状態においては恰も本物の提灯が点灯しているかの如き雰囲気を醸し出すことができ、もって飾りとしての価値を一段と高めることができると共に、夜間における装飾を兼ねた補助照明として用いることもできるものである。しかも発光装置１１を、発光体としてＬＥＤ１４を用いると共に電源としてボタン電池１２を用いることにより、内部に収まるようにできるだけコンパクトに且つまた電力消費の極めて少ない発光装置として構成し、必要な範囲の明るさにおいて点灯できる時間の引き延ばしを図ることができるようになしたものである。
【００２０】  また、火袋２を含めて全ての構成部材を樹脂で製作した場合には、丈夫で毀れにくく、子供のおもちゃに使用しても長持ちするものとなるものである。
【００２１】  尚、本実施形態は、その形態として弓張提灯の形態となしているが、その他の形態としてもよく、また、図示はしないが、火袋２を骨材と和紙をもって製作したものとしてもよい。
【００２２】  また、周囲の適宜の箇所に適宜の保持固定手段を備えた場合には、室内等にある適宜の部材に安定して保持固定せしめることができるものであり、本実施形態では保持固定手段として磁石１７を用い、これを取り付けたことにより、室内等にある金属製の部材、例えば、冷蔵庫の扉等に吸着させることによって安定して保持固定せしめることができるものである。また、本実施形態においては、磁石１７は、前記弓１０の垂直部における中央に設けた磁石嵌合部１０Ａ内に嵌合している。尚、この他図示はしないが、弓１０の上部側と下部側の水平部分のいずれか、又は両方に磁石嵌合部を設け、該磁石嵌合部内に磁石１７を嵌合するようにしてもよい。
【００２３】  また、図示はしないが保持固定手段として吸盤を用いるようにしてもよく、そしてこの場合には吸盤を直接ミニチュア提灯自体に取り付けてもよいが、吸盤とミニチュア提灯との間に紐を介在させるようにしてもよい。また、この他保持固定手段として粘着面に剥離紙を仮貼着した粘着テープを用いるようにしてもよい。
【００２４】  更にまた、上記の如く保持固定手段として磁石１７用いる場合において、図６に示す如き、裏面１８ａを粘着面とし、該粘着面１８ａに剥離紙１８を仮貼着してなる金属片１８を付属させてセットとした場合には、該金属片１８を所望の場所、位置に貼着すると共に磁石１７の取り付け位置を適宜に決定することにより、飾る場所、位置の選択に制限を受けなくすることができるようになるものである。例えば、金属片１８を壁の垂直面に貼着し、磁石１７を上記実施形態の如くミニチュア提灯１の側面に取り付ければ、壁の垂直面に飾ることができ、また金属片１８を天井や軒に貼着し、磁石１７をミニチュア提灯１の上面に取り付ければ、天井や軒に吊り下げた状態で飾ることができ、また金属片１８を床に貼着し、磁石１７をミニチュア提灯１の下面に取り付ければ、床に立った状態で飾ることができるものである。尚、金属片１８の大きさを磁石１７と略同じか、これより僅かに大きい程度にすれば、これが目立って見栄えがわるくなることはない。また、金属片１８の裏面１８ａを粘着面とするには、図示はしないが、粘着剤を塗布するか、両面粘着テープを貼着することによって行えばよい。
【符号の説明】
【００２５】１  ミニチュア提灯
２  火袋
５  上加輪
７  下加輪
１０  弓
１１  発光装置
１２  ボタン電池
１３  スイッチ
１４  ＬＥＤ
１７  磁石
１８  金属片
【図１】
0003197134.tif 000003
【図２】
0003197134.tif 000004
【図３】
0003197134.tif 000005
【図４】
0003197134.tif 000006
【図５】
0003197134.tif 000007
【図６】
0003197134.tif 000008